(57)【要約】【課題】耐久性および保守性に優れた照明パネルおよび当該照明パネルを含む外壁用パネルを提供する。【解決手段】照明パネル１に組み込まれている面発光照明装置２は、発光面２ａの反対側の面である背面２ｂが当該照明パネル１の外装面８ａに対向して当該外装面８ａによって覆われている。照明パネル１の外装面８ａに、面発光照明装置２の側端部に沿って全周に亘って側端部を取り囲む側端覆設部９が設けられている。密着部材３が、一の面３ｂが面発光照明装置２の発光面２ａにおける非発光部２１ａに全周に亘って密着する。覆設部材４が、密着部材３の一の面３ｂの反対側の面である他の面３ａに全周に亘って密着する。【選択図】図１
2014086336.tif 000002
【特許請求の範囲】
【請求項１】
一方の面が発光部と前記発光部の周囲の非発光部とを含む発光面である板状の面発光照明装置が片方の面に組み込まれた屋外用の照明パネルであって、
前記面発光照明装置は、前記発光面の反対側の面である背面が当該照明パネルの前記片方の面に対向して前記片方の面によって覆われ、
当該照明パネルの前記片方の面に、前記面発光照明装置の側端部に沿って全周に亘って前記側端部を取り囲む側端覆設部が設けられ、
一の面が前記面発光照明装置の前記発光面における前記非発光部に全周に亘って密着する防水性の密着部材と、
前記密着部材の前記一の面の反対側の面である他の面に全周に亘って密着する覆設部材とを備える
ことを特徴とする照明パネル。
【請求項２】
一方の面が発光部と前記発光部の周囲の非発光部とを含む発光面である板状の面発光照明装置が片方の面に組み込まれた屋外用の照明パネルであって、
当該照明パネルの前記片方の面に、前記面発光照明装置を収容する凹部が設けられ、
前記面発光照明装置は、前記発光面が当該照明パネルの前記片方の面に設けられた前記凹部の開口する方向を向き、前記発光面の反対側の面である背面が前記凹部の底面によって覆われ、かつ、側端部が前記凹部の側面によって覆われるように配設され、
一の面が前記面発光照明装置の前記発光面における前記非発光部に全周に亘って密着する防水性の密着部材と、
前記密着部材の前記一の面の反対側の面である他の面を全周に亘って覆うとともに当該照明パネルの前記凹部の前記側面に接する覆設部材を備え、
前記密着部材が、前記覆設部材に密着している
ことを特徴とする照明パネル。
【請求項３】
前記面発光照明装置の前記背面を覆う、前記照明パネルの前記片方の面に、前記面発光照明装置に電力を供給するために前記面発光照明装置に着脱可能に接続される電力供給端子が設けられている
ことを特徴とする請求項１に記載の照明パネル。
【請求項４】
前記凹部内に、前記面発光照明装置に電力を供給するために前記面発光照明装置に着脱可能に接続される電力供給端子が設けられている
ことを特徴とする請求項２に記載の照明パネル。
【請求項５】
当該照明パネルは、前記面発光照明装置の前記発光面が水平面に対して傾けられて設置され、
前記覆設部材は、前記密着部材から離間する方向の厚さが前記発光面の中央部に近づくに従って薄くなる部分であるテーパ部を少なくとも一部に有するように形成されて、前記発光面の中央部に対して下方に前記テーパ部が配置されるように配設される
ことを特徴とする請求項１から請求項４のうちいずれかに記載の照明パネル。
【請求項６】
前記覆設部材の外面は当該照明パネルの外装の一部を構成し、前記外面は、当該照明パネルの外装の残部を摸して形成されている
ことを特徴とする請求項１から請求項５のうちいずれかに記載の照明パネル。
【請求項７】
請求項１から請求項６のうちいずれかに記載の照明パネルを含む
ことを特徴とする外壁用パネル。
【発明の詳細な説明】
【技術分野】
【０００１】
本発明は、屋外用の照明パネルおよび外壁用パネルに関する。
【背景技術】
【０００２】
従来から、照明用機器として白熱電球や蛍光灯が広く用いられている。これに対し、近年、発光領域が面状に形成された面発光照明装置がそのソフトな印象の光や省エネルギ性能などの理由から次世代照明として注目を浴びており、有機エレクトロルミネッセンス（有機ＥＬ（Ｅｌｅｃｔｒｏ  Ｌｕｍｉｎｅｓｃｅｎｃｅ）、ＯＥＬ：Ｏｒｇａｎｉｃ  Ｅｌｅｃｔｒｏ  Ｌｕｍｉｎｅｓｃｅｎｃｅ）パネル、無機エレクトロルミネッセンスパネル、発光ダイオードと導光板とを組合せたもの等が開発されている。中でも有機ＥＬパネルは、機器の小型軽量化が可能であり、発熱量も少ないといった点で注目されている。
【０００３】
有機ＥＬは有機物質からなる発光材料に電圧を印可してエネルギを付与し、励起された当該発光材料が元の状態に戻る際に、光としてエネルギを放出する現象のことをいう。有機ＥＬ技術を用いた発光素子である有機ＥＬ発光素子には、有機物質からなる発光材料を含む有機層と、当該有機層を挟むように対向した２つの電極（陰極および陽極）と、を基板上に順次積層した構造が一般的に用いられている。
【０００４】
有機ＥＬは発光材料の種類を変えることにより発光波長を変更することができるので、例えば赤色、緑色、青色の３種類の発光材料を混合することで白色光を得ることができる。また、例えば異なる発光材料を含んだ２種類以上の発光素子をストライプ状に交互に形成して各々の色に独立して電流を流す可変色の面発光照明装置を得ることができる。
【０００５】
こういった面発光照明装置は照明用途に用いることができる他、建屋内、乗物内のインテリア、またはエクステリアなどに用いることも可能である。特許文献１には、有機ＥＬを用いた面発光照明装置を一般的な照明として用いた例が記載されている。また、特許文献２には、有機ＥＬ素子を含む面発光照明装置を、建材と一体化して建物の内壁や外壁等に使用したりすることで、照明や装飾的な用途として用いた照明モジュールが記載されている。
【先行技術文献】
【特許文献】
【０００６】
【特許文献１】特開２０１１−１８４８３号公報
【特許文献２】特開２００９−７６７８１号公報
【発明の概要】
【発明が解決しようとする課題】
【０００７】
面発光照明装置が組み込まれた照明パネルを屋外で使用する場合、当該面発光照明装置が長期間にわたり直接風雨に晒されてしまう。特許文献１に記載されている照明スタンドを屋内用であり、面発光照明装置が組み込まれた照明パネルを屋外で使用するためには、筐体内への雨水の浸入や、筐体の腐食、漏電等への特別な配慮が必要である。しかし、特許文献２に記載されている照明モジュールは屋外で使用されうるが、給電端子が表面に露出しており、給電端子が濡れた場合に腐食したり、漏電したりするおそれがある。さらに、光源である面発光照明装置は、長期間使用するうちに劣化して交換が必要となるが、特許文献２に記載されている照明モジュールは、光源の交換の方法について考慮されていない。例えば、パネルと面発光照明装置とを一体で封止すれば、前述した露出部分の腐食、漏電といった懸念は小さくなるが、面発光照明装置が劣化した際に当該面発光照明装置を含む照明モジュール全体を交換しなければならない。特に照明モジュールが建材パネルである場合には、当該照明モジュールは壁面に強固に接着されているため、当該照明モジュールの交換には大掛かりな工事を必要としてしまう。このため、屋外で照明パネルを使用するには長期間風雨に耐えて安定に使用でき、かつ面発光照明装置の交換が容易であることが求められる。
【０００８】
そこで、本発明は、耐久性および保守性に優れた照明パネルおよび当該照明パネルを含む外壁用パネルを提供することを目的とする。
【課題を解決するための手段】
【０００９】
上記目的を達成するため、本発明による照明パネルは、一方の面が発光部と前記発光部の周囲の非発光部とを含む発光面である板状の面発光照明装置が片方の面に組み込まれた屋外用の照明パネルであって、前記面発光照明装置は、前記発光面の反対側の面である背面が当該照明パネルの前記片方の面に対向して前記片方の面によって覆われ、当該照明パネルの前記片方の面に、前記面発光照明装置の側端部に沿って全周に亘って前記側端部を取り囲む側端覆設部が設けられ、一の面が前記面発光照明装置の前記発光面における前記非発光部に全周に亘って密着する防水性の密着部材と、前記密着部材の前記一の面の反対側の面である他の面に全周に亘って密着する覆設部材とを備えることを特徴とする。
【００１０】
また、本発明による他の態様の照明パネルは、一方の面が発光部と前記発光部の周囲の非発光部とを含む発光面である板状の面発光照明装置が片方の面に組み込まれた屋外用の照明パネルであって、当該照明パネルの前記片方の面に、前記面発光照明装置を収容する凹部が設けられ、前記面発光照明装置は、前記発光面が当該照明パネルの前記片方の面に設けられた前記凹部の開口する方向を向き、前記発光面の反対側の面である背面が前記凹部の底面によって覆われ、かつ、側端部が前記凹部の側面によって覆われるように配設され、一の面が前記面発光照明装置の前記発光面における前記非発光部に全周に亘って密着する防水性の密着部材と、前記密着部材の前記一の面の反対側の面である他の面を全周に亘って覆うとともに当該照明パネルの前記凹部の前記側面に接する覆設部材を備え、前記密着部材が、前記覆設部材に密着していることを特徴とする。
【００１１】
前記面発光照明装置の前記背面を覆う、前記照明パネルの前記片方の面に、前記面発光照明装置に電力を供給するために前記面発光照明装置に着脱可能に接続される電力供給端子が設けられていることが好ましい。そのような構成によれば、電力供給端子が風雨にさらされることを防ぎつつ、面発光照明装置の交換等の保守作業を容易にすることができる。
【００１２】
前記凹部内に、前記面発光照明装置に電力を供給するために前記面発光照明装置に着脱可能に接続される電力供給端子が設けられていることが好ましい。そのような構成によれば、電力供給端子が風雨にさらされることを防ぎ、かつ、面発光照明装置の交換等の保守作業を容易にすることができる。
【００１３】
当該照明パネルは、前記面発光照明装置の前記発光面が水平面に対して傾けられて設置され、前記覆設部材は、前記密着部材から離間する方向の厚さが前記発光面の中央部に近づくに従って薄くなる部分であるテーパ部を少なくとも一部に有するように形成されて、前記発光面の中央部に対して下方に前記テーパ部が配置されるように配設されてもよい。そのような構成によれば、面発光照明装置の発光面が水平面に対して傾けられて設置された場合に、当該発光面の中央部より下方に位置する覆設部材の部分に雨水等の水が溜まることを防止できる。
【００１４】
前記覆設部材の外面は当該照明パネルの外装の一部を構成し、前記外面は、当該照明パネルの外装の残部を摸して形成されていることが好ましい。そのような構成によれば、照明パネル全体が一体感を持った外観とすることができる。
【００１５】
本発明による外壁用パネルは、本発明による照明パネルを含むことを特徴とする。
【発明の効果】
【００１６】
本発明によれば、照明パネルを設置したまま面発光照明装置を容易に交換することが可能となり、照明パネルに面発光照明装置を封止した場合に比べて保守性に優れている。また、面発光照明装置の背面および側端部が当該照明パネルや側端覆設部によって覆われているので、屋外で使用された場合であっても面発光照明装置の内部への雨水の侵入を防ぐことができ、特許文献２に記載されている照明モジュールに比べて耐久性に優れている。
【図面の簡単な説明】
【００１７】
【図１】第１の実施の形態の照明パネルの構成を示す説明図である。
【図２】第２の実施の形態の照明パネルの構成を示す断面図である。
【図３】第３の実施の形態の照明パネルの構成を示す断面図である。
【図４】変形例１の照明パネルの構成を示す断面図である。
【図５】変形例２の照明パネルの構成を示す断面図である。
【図６】複数の面発光照明装置を含む照明パネルの例を示す説明図である。
【発明を実施するための形態】
【００１８】
以下、図面を参照し、本発明の実施の形態について、実施の形態および変形例に基づき詳細に説明する。なお、本発明は以下に説明する内容に限定されるものではなく、その要旨を変更しない範囲において任意に変更して実施することが可能である。また、各実施の形態および変形例の説明に用いる図面は、いずれも本発明による照明パネルを模式的に示すものであって、理解を深めるべく部分的な強調、拡大、縮小、または省略などを行っており、各構成部材の縮尺や形状等を正確に表すものとはなっていない場合がある。
【００１９】
＜実施の形態１＞
本発明の第１の実施の形態の照明パネル１について図面を参照して説明する。まず、照明パネル１の構成について説明する。図１（ａ）は照明パネル１の正面図であり、図１（ｂ）は、図１（ａ）に示すI−I線に沿う断面図である。以下に述べる各実施の形態では、照明パネルは、建造物の外壁や支柱などに、接着したり、ねじ止めしたりする等の方法で設置され、屋外において使用される。
【００２０】
図１（ａ），（ｂ）に示すように、本実施の形態の照明パネル１は、面発光照明装置２、密着部材３、および覆設部材４を含む。また、図１（ｂ）に示すように、本実施の形態の照明パネル１は、側端覆設部９をさらに含む。そして、面発光照明装置２、密着部材３、覆設部材４、および側端覆設部９は、直接に、または間接的に筐体８に設置されている。面発光照明装置２は、例えば、有機ＥＬパネル等の面状の発光部２２ａを有する照明装置である。図１（ｂ）に示すように、面発光照明装置２は、照明パネル１の筐体８において、当該照明パネル１が設置された場合に外装となる面である外装面８ａ（片方の面）に設置される。なお、面発光照明装置２は、発光面２ａ（一方の面）と当該発光面２ａの反対側の面である背面２ｂとを有する板状体であり、背面２ｂが筐体８の外装面８ａに対向して覆われるように設置される。なお、面発光照明装置２は、ねじ止めなどによって外装面８ａに固定されてもよい。
【００２１】
次に、照明パネル１を構成する各部材について説明する。照明パネル１に組み込まれる面発光照明装置２は、発光面２ａがガラスや樹脂からなる透明基板からなる。透明基板上に光取り出し膜や光拡散膜等を設けてもよい。面発光照明装置２としては、有機ＥＬ照明装置、無機ＥＬ照明装置、あるいはＬＥＤ（Ｌｉｇｈｔ  Ｅｍｉｔｔｉｎｇ  Ｄｉｏｄｅ）と導光板とを組み合わせたものが挙げられる。
【００２２】
ここで、筐体８の外装面８ａにおいて、面発光照明装置２の背面２ｂに対向する範囲内には、当該面発光照明装置２に電力を供給するための端子部５が設けられている。端子部５は、面発光照明装置２に着脱可能に接続される。端子部５には、配線６および漏電センサ７を介して電力が供給される。端子部５には配線６を介してさらに制御信号が供給される。なお、端子部５は、例えば、図１（ｂ）に示されているように筐体８の外装面８ａに埋設され、コネクタによって実現される。また、面発光照明装置２の背面２ｂには、例えば、端子部５が埋設されている位置に対応する位置に入力部（図示せず）が設けられている。そして、面発光照明装置２が筐体８の外装面８ａに設置されると、当該入力部が端子部５と嵌合して接続される。
【００２３】
照明パネル１の筐体８は、少なくとも長期間の屋外使用に耐える素材によりなり、代表的には鉄やアルミニウムなどの金属、あるいはポリカーボネート、アクリルといった樹脂等の素材が形成されてなる。
【００２４】
本実施の形態における照明パネル１は屋外で使用されるので、長期間にわたって風雨に晒される。特に端子部５の劣化および漏電を防止するために面発光照明装置２の裏面および側面には水が浸入しないようにすることが重要である。このため、図１（ａ），（ｂ）に示すように面発光照明装置２の発光面２ａの発光部２２ａには、光が発せられる領域である発光部２２ａと、発光部２２ａの周囲の光が発せられない領域である非発光部２１ａとがあるが、発光部２２ａの周囲は、枠状の防水性の密着部材３で囲まれる。従って、密着部材３は、一の面３ｂが非発光部２１ａの全周に亘って密着している。また、図１（ａ），（ｂ）に示すように、密着部材３の一の面３ｂの反対側の面である他の面３ａには、覆設部材４が全周に亘って密着している。密着部材３の素材には、天然ゴム、ニトリルゴム、シリコンゴム、フッ素ゴム、スチロールゴム等が好ましく用いられる。
【００２５】
側端覆設部９について説明する。図１（ｂ）に示すように、側端覆設部９は、断面形状が長方形状である。ここで、発光面２ａの中央側を向く面を内周面、その裏側の面を外周面、筐体８の外装面８ａに接する面を内方面、およびその裏側の面を外方面と称することにする。側端覆設部９は、面発光照明装置２の側端部に沿って全周に亘って枠状に当該側端部を取り囲む。
【００２６】
覆設部材４について説明する。図１（ｂ）に示すように、本実施の形態の覆設部材４は、断面形状が長方形状となるように形成されている。覆設部材４においても、発光面２ａの中央側を向く面を内周面、およびその裏側の面を外周面と称し、さらに、発光面２ａに対向する面を内方面４ｂ、およびその裏側の面を外方面４ａと称することにする。覆設部材４の内方面が、側端覆設部９の外方面に接するように設置される。そして、覆設部材４の内方面４ｂが密着部材３の他の面３ａに全周に亘って密着して設置される。
【００２７】
ここで、覆設部材４と側端覆設部９とが接する部分を水分が通過しないようにするために、覆設部材４と側端覆設部９とは、例えば、ねじ止めによって密着している。覆設部材４と側端覆設部９との間に防水部材を挿入してもよい。なお、覆設部材４と側端覆設部９とが一体となって形成されていてもよい。また、側端覆設部９と筐体８の外装面８ａとが接する部分も、水分が通過しないようにするために、筐体８の外装面８ａと側端覆設部９とは、例えば、ねじ止めや接着剤によって密着していることが好ましい。外装面８ａと側端覆設部９との間に防水部材を挿入してもよい。
【００２８】
密着部材３上にはさらに覆設部材４が存在するが、覆設部材４（より具体的には、覆設部材４の内方面４ｂ）は側端覆設部９と密着する力によって密着部材３を挟んだ状態で面発光照明装置２に押し付けられる。この結果、覆設部材４と密着部材３との間の隙間、および密着部材３と面発光照明装置２との間の隙間が無くなり、覆設部材４は側端覆設部９に接し、側端覆設部９は筐体８の外装面８ａに接するので、外部から面発光照明装置２の側端部、および面発光照明装置２の背面２ｂに接続されている端子部５への水の浸入を防ぐことができる。十分な防水効果を得るべく密着部材３を面発光照明装置２の発光面２ａに強く均等に押しつけるためには、覆設部材４を側端覆設部９に均等にねじ止めすることが好ましい。
【００２９】
覆設部材４の内方面４ｂの面積は密着部材３の他の面３ａよりも広く、覆設部材４の内方面４ｂは密着部材３全体に均一に圧力を加えられる平坦なものであることが好ましい。覆設部材４に密着部材３の発光面２ａに対して垂直な方向の厚さよりも浅い溝を設けて、密着部材３をその溝の中に配してもよい。覆設部材４は金属、セラミックスないし樹脂からなり、中でも強い押圧に耐えられるという点で、例えばアルミニウム、真鍮、鉄等の金属からなることが好ましい。
【００３０】
全体が一体感を持った外観となるように、覆設部材４が照明パネル１とほぼ同じ外観を持つことが好ましい。具体的には、図１（ａ）に示すように、覆設部材４の内方面４ｂの反対側の面である外方面４ａは、照明パネル１の外装の一部を構成し、照明パネル１の筐体８の外装面８ａが、照明パネル１の外装の残部を構成している。そして、覆設部材４の外方面４ａは、照明パネル１の筐体８の外装面８ａによって構成される当該照明パネル１の外装の残部を摸して形成されている。なお、以下に述べる各実施の形態および変形例における覆設部材においても、照明パネルの外装の一部を構成する部分は、当該照明パネルの外装の残部を摸して形成されている。
【００３１】
本実施の形態によれば、面発光照明装置２の背面２ｂが筐体８の外装面８ａによって覆われ、側端部が側端覆設部９によって覆われているので、屋外で使用された場合であっても面発光照明装置２の内部や、端子部５との接続部への雨水の侵入を防ぐことができ、特許文献２に記載されている照明モジュールに比べて耐久性に優れている。
【００３２】
また、本実施の形態によれば、面発光照明装置２の発光性能等の性能が劣化した場合には、照明パネル１から覆設部材４、および密着部材３を外して面発光照明装置２を露出させてから当該面発光照明装置２を取り外し、交換することで、照明パネル１自体は建造物等に設置したままで容易に面発光照明装置２の交換作業をすることができる。
【００３３】
従って、照明パネル１と面発光照明装置２とを封止した場合に比べて保守性に優れている。
【００３４】
本実施の形態によれば、覆設部材４の外方面４ａは、照明パネル１の筐体８の外装面８ａに施された外装処理を摸して形成されているので、照明パネル１全体を一体感のある外観にすることができる。
【００３５】
＜第２の実施の形態＞
次に、本発明の第２の実施の形態の照明パネル１０について図２に示す断面図を参照して説明する。なお、図２には、図１（ａ）におけるI−I線に相当する位置の断面が示されている。
【００３６】
図１（ａ），（ｂ）に示す第１の実施の形態の照明パネル１のように、面発光照明装置２の上に密着部材３および覆設部材４を設けると、この部分が照明パネル１の外装面８ａからかなり出っ張ることになってしまう。このため、第２の実施の形態の照明パネル１０の筐体８０には、図２に示すように、面発光照明装置２を収容するために、底面８０ａおよび側面８０ｃを有する凹部が設けられている。そして、底面８０ａには端子部５が設けられている。
【００３７】
図２に示す例では、面発光照明装置２は、発光面２ａの発光部２２ａが凹部の開口する方向を向き、背面２ｂが底面８０ａに対向し、側端部が側面８０ｃに取り囲まれるように配設されている。また、底面８０ａには、端子部５が設けられている。凹部は段差を持った２重構造になっており、中央の深い凹部には面発光照明２が、それを囲む浅い凹部には覆設部材４が配される。
【００３８】
そして、面発光照明装置２の発光面２ａの発光部２２ａの周囲の非発光部２１ａには、第１の実施の形態と同様に、枠状の防水性の密着部材３の一の面３ｂが密着している。つまり、面発光照明装置２の発光面２ａの発光部２２ａの周囲は密着部材３によって囲まれている。そして、密着部材３の他の面３ａには、第１の実施の形態と同様に、全周に亘って、覆設部材４の内方面４ｂが密着している。なお、覆設部材４の内方面は、第１の実施の形態では側端覆設部９に接していたが、本実施の形態では、図２に示すように、筐体８０の凹部に全周に亘って接するように設置される。
【００３９】
ここで、覆設部材４と筐体８０の凹部とが接する部分を水分が通過しないようにするために、覆設部材４と筐体８０の凹部とは、例えば、ねじ止めなどによって密着していることが好ましい。また、十分な防水効果を得るべく密着部材３を面発光照明装置２の発光面２ａに強く均等に押しつけるために、覆設部材４は、照明パネル１の筐体８の凹部の底面８０ａに均等にねじ止めされていることが好ましい。
【００４０】
また、照明パネル１０全体が一体感を持った外観となることが好ましい。具体的には、図２に示すように、覆設部材４の外方面４ａは、照明パネル１０の外装の一部を構成し、照明パネル１０の筐体８０の凹部外において外方面に沿う面が、照明パネル１０の外装の残部を構成している。そして、覆設部材４の外方面４ａは、照明パネル１０の筐体８０の一部によって構成される当該照明パネル１０の外装の残部を摸して形成されている。
【００４１】
本実施の形態によれば、面発光照明装置２の側端部および背面２ａが筐体８０の凹部の側面８０ｃおよび底面８０ａによって囲まれ、当該面発光照明装置２の発光部２２ａの周囲が密着部材３および覆設部材４によって囲まれているので、面発光照明装置２の側端部および背面２ａ側への外部からの水の侵入を防ぐことができるという第１の実施の形態と同様の効果を奏することができる。
【００４２】
また、本実施の形態によれば、照明パネル１０を建造物等に設置したまま面発光照明装置２を容易に交換することが可能となり、照明パネル１０と面発光照明装置２とを封止した場合に比べて保守性に優れているという第１の実施の形態と同様の効果を奏することができる。
【００４３】
本実施の形態によれば、第１の実施の形態における効果に加えて、さらに、面発光照明装置２が筐体８０に設けられた凹部に収容されるので、当該面発光照明装置２、密着部材３および覆設部材４０による筐体８０からの突出を防ぐことができる。
【００４４】
＜第３の実施の形態＞
以上に述べたように、第１の実施の形態および第２の実施の形態の覆設部材４は、断面が長方形状になるように形成されている。それに対して第３の実施の形態の覆設部材４１は、断面が斜辺を有する台形状になるように形成されている。そして、第３の実施の形態の照明パネル１１は、面発光照明装置２の発光面２が水平面に対して傾けられて、例えば垂直に建造物等に設置される。
【００４５】
図３は、第３の実施の形態の照明パネル１１の断面を示す説明図である。なお、図３には、図１（ａ）におけるI−I線に相当する位置の断面が示されている。図３に示すように、第３の実施の形態の照明パネル１１の覆設部材４１の断面は台形状であり、テーパ部４１ｃとしての斜面が斜辺として示され、覆設部材４１は、筐体８０の後述する浅い凹部の側面および底面、ならびに密着部材３に接するように配置されている。そして、断面が台形状の覆設部材４１のテーパ部４１ｃは、密着部材３から離間する方向の厚さが面発光照明装置２の発光面２ａの発光部２２ａの中央部に近づくに従って薄くなるように配置されている。
【００４６】
図３に示すように、筐体８０の構成は、図２に示す第２の実施の形態における構成と同様であり、凹部が設けられている。凹部は段差を持った２重構造になっており、中央の深い凹部には面発光照明２が、それを囲む浅い凹部には覆設部材４１が配される。また、面発光照明装置２の発光面２ａの発光部２２ａの周囲には、第１の実施の形態と同様に、枠状の防水性の密着部材３の一の面３ｂが密着して囲まれ、密着部材３の他の面３ａには、全周に亘って、第１の実施の形態における覆設部材４１の内面４１ｂが密着している。
【００４７】
なお、図３に示す例では、覆設部材４１は、図３における上側と下側との２箇所にテーパ部４１ｃが設けられていることが示されているが、テーパ部４１ｃは、面発光照明装置２の発光面２ａの中央部に対して下方向に位置する覆設部材４１の部分に配設されればよい。従って、テーパ部４１ｃは、覆設部材４１の全周において、面発光照明装置２の発光面２ａの中央部に対して下方向に少なくとも１箇所に設けられていればよいが、全周に亘って設けられていてもよい。
【００４８】
本実施の形態によれば、前述した第２の実施の形態における効果に加えて、テーパ部４１ｃが面発光照明装置２の発光面２ａの中央部に対して下方向に配置されるように覆設部材４１が配設されることによって、面発光照明装置２の発光面２ａにおいて雨水等の水をテーパ部４１ｃの表面上を通して照明パネル１１の下方向に流出させ、発光面２ａの下側に雨水等の水が溜まることを防止できる。そして、面発光照明装置２の発光面２ａの下側に溜まった水の水垢による発光面２ａの汚れを防ぐことができる。
【００４９】
＜変形例１＞
以上に述べた各実施の形態では、密着部材３を面発光照明装置２の発光面２ａに押し付けることで面発光照明装置２に大きな力がかかって発光機能にダメージを与える可能性がある。これを防ぐため、面発光照明装置２の発光面２ａとは反対側である背面２ｂ側における筐体８または筐体８０の「受け（面発光照明装置２を支持する部分）」は面発光照明装置２を挟んで密着部材３に対向する部分のみとし、密着部材３と「受け」との間に位置する発光面２ａにおける領域には発光機能を付与しない。つまり、「受け」は、筐体８または筐体８０の外装面８ａまたは底面８０ａに設置され、背面２ｂのうち発光面２ａの非発光部２１ａの裏側の領域である被支持領域２１ｂに対向するように設置される。
【００５０】
図４は、本発明の変形例１の照明パネル１２の例を示す断面図である。なお、図４には、図１（ａ）におけるI−I線に相当する位置の断面が示されている。図４に示すように、本変形例の照明パネル１２は、第２の実施の形態および第３の実施の形態の筐体８０と同様に、面発光照明装置２を収容する凹部を有する筐体８１を含む。図４に示す例では、照明パネル１２の筐体８１には、面発光照明装置２を密着部材３との間で挟持するために筐体８１に固着された凸部材８２が設けられている。凸部材８２は、面発光照明装置２の背面２ｂのうち発光面２ａの非発光部２１ａに対応する領域である被支持領域２１ｂに当接し、当該面発光照明装置２を当該凸部材８２の端面８２ａと密着部材３とで挟持するように設けられている。
【００５１】
そして、図４に示すように、面発光照明装置２の背面２ｂにおいて端面８２ａに接していない残部（被支持領域２１ｂ以外の部分）と凹部の底面８１ａとの間は、中空になっている。なお、面発光照明装置２の背面２ｂにおいて凸部８２に接していない残部と凹部の底面８１ａとの間に、柔らかい材質のシートが挟まれていてもよい。なお、非発光部２１ａには、有機ＥＬ層が設けられていないものとする。なお、覆設部材４１、密着部材３、および面発光照明装置２を筐体８１に、直接にまたは間接的に設置する方法は、前述した第２の実施の形態における方法と同様である。
【００５２】
なお、図４に示すように、本変形例の照明パネル１２は、筐体８１が面発光照明装置２を収容する凹部を有し、凹部の底面８１ａに凸部材８２が設けられているが、第１の実施の形態の照明パネル１の筐体８のように凹部が設けられていない場合には、当該筐体８の外装面８ａに、面発光照明装置２の背面２ｂのうち発光面２ａの非発光部２１ａに対応する被支持領域２１ｂを密着部材３との間で挟持するための凸部が設けられていてもよい。
【００５３】
本変形例によれば、面発光照明装置２の発光面２ａに密着部材３が押し付けられることよる発光機能への悪影響を防ぐことができる。
【００５４】
＜変形例２＞
図５は、本発明の変形例２の照明パネル１３の構成を示す断面図である。なお、図５には、図１（ａ）におけるI−I線に相当する位置の断面が示されている。覆設部材４１が密着部材３に確実に均等に圧力を加えるには、覆設部材４１を凹部の底面８０ａ等にねじ止めする方法があるが、この場合はねじの頭が覆設部材４１上に現れてしまい美観を損ねる可能性がある。このため本変形例２の照明パネル１３は、図５に示すように、押圧部材４２がさらに用いられ、この押圧部材４２は、密着部材３に圧力を加えるために凹部の底面８０ａにねじ止めされて当該密着部材３の他の面３ａに一方の面４２ｂが密着し、当該密着部材３を面発光照明装置２の発光面２ａ側に押圧する。そして、押圧部材４２の他方の面４２ａには覆設部材４１の内面４１ｂが密着して、密着部材３を介して面発光照明装置２の発光面２ａに押圧部材４２を押しつけるねじを覆設部材４１が隠蔽する。なお、覆設部材４１の内面４１ｂは、例えば嵌合によって押圧部材４２の他方の面４２ａに固定されている。
【００５５】
本変形例によれば、美観を損なわずに密着部材３を均等に面発光照明装置２の発光面２ａに押しつけることが可能となる。
【００５６】
なお、面発光照明装置２の発光面２ａにおける発光部２２ａの周囲に金属や樹脂の補助プレートを固着して非発光部２１ａとし、補助プレートに向けて密着部材３を押し付けることで、発光部２２ａの損傷を防ぐことも可能である。あるいは、発光面２２ａより大面積の補助プレートの中央部に発光部２２ａを接着し、発光部２２ａの周囲にはみ出た補助プレートの部分を非発光部２１ａとしてもよい。
【００５７】
以上に述べた各実施の形態および各変形例における各照明パネルは、建造物等の外壁等のパネルに設置されるのであるが、以上に述べた各実施の形態および各変形例における各照明パネルを含む外壁用パネルを構成してもよい。具体的には、本変形例３による外壁用パネルは、以上に述べた各実施の形態および各変形例の各照明パネルにおける各筐体の素材に、一般的な外壁用パネルの素材が用いられ、通常の外壁用パネルと同様に壁面に接着等される。一般的な外壁用パネルの素材とは、例えばアルミニウムなどの金属パネル、ＡＬＣ（Ａｕｔｏ  Ｃｌａｖｅｄ  Ｌｉｇｈｔｗｅｉｇｈｔ  Ａｅｒａｔｅｄ  Ｃｏｎｃｒｅｔｅ：軽量気泡コンクリート）などのコンクリートパネル、樹脂製の芯材にアルミ等の金属板を積層した金属複合パネル、ケイ酸カルシウムパネルなどが挙げられる。陶器などによるタイルを筐体の素材に用いることも可能である。端子部５を面発光照明装置２に着脱可能に筐体に取り付けたりする加工のしやすさという点から、筐体の素材には、金属パネルや金属複合パネルを用いることが好ましい。
【００５８】
この場合も、照明パネル全体が一体感を持った外観となるように、覆設部材も建材パネルとほぼ同じ外観を持つことが好ましい。例えば、照明パネルの筐体がアルミ複合パネルであったときに覆設部材もアルミ複合パネルであることが好ましい。
【００５９】
以上に述べた各実施の形態および各変形例における各照明パネルにおいて、面発光照明装置２の漏電を放置すると感電や火災の可能性がある。このため、図１〜図５に示すように、配線６に漏電センサ７を備えることは好ましい形態である。
【００６０】
また、同様の目的で全ての面発光照明装置２が、例えば接地線によって、確実に電気的に接地されていることが好ましい。接地線の配線を簡便にし、かつ接地容量を十分大きくするために全ての面発光照明装置２が共通の接地線に電気的に接続されていることが好ましい。また、金属パネルや金属と樹脂の複合パネルなどの少なくとも一部に金属が用いられた照明パネルでは、この金属部分も面発光照明装置２と共通の接地線で電気的に接地されることにより、漏電した場合の危険性を低減することができる。面発光照明装置２が照明パネルの筐体の凹部に収容される場合に、こういった接地線も凹部内に配置することで外観を損ねずに配線することができる。
【００６１】
以上に述べた各実施の形態および各変形例における各照明パネルには、１つの面発光照明装置２が含まれているが、複数の面発光照明装置２が含まれていてもよい。図６は、複数の面発光照明装置２を含む照明パネル１４の例を示す説明図である。図６に示す例では、照明パネル１４は、２つの面発光照明装置２が縦に並べられて並設されているが、２つ以上の面発光照明装置２が、縦または横に並べられて並設されていていてもよいし、斜めに並べられて並設されていてもよいし、３つ以上の面発光照明装置２が、タイル状に縦横に並べられて並設されていてもよい。
【００６２】
なお、面発光照明装置２の長期間の使用による汚れ防止のため、面発光照明装置２の発光面２ａにはＰＴＦＥ（Ｐｏｌｙｔｅｔｒａｆｌｕｏｒｏｅｔｈｙｌｅｎｅ：ポリテトラフルオロエチレン）等のフッ素系樹脂や酸化チタン等の光触媒による防汚処理が施されていることが好ましい。そのような防汚処理が施されていれば、面発光照明装置２の発光面２ａの汚れをより防ぐことができる。
【産業上の利用可能性】
【００６３】
本発明による照明パネルは、建造物の外壁等に設置されて屋外照明の用途に使用可能であり、当該照明パネルを含む本発明による外壁用パネルは、建造物自体の装飾として用いることもできる。
【符号の説明】
【００６４】
１、１０、１１、１２、１３、１４  照明パネル
２    面発光照明装置
２ａ  発光面
３    密着部材
４、４０、４１  覆設部材
５    端子部
６    配線
７    漏電センサ
８    筐体
９    側端覆設部
２１ａ  非発光部
２２ａ  発光部
４２  押圧部材
【図１】
2014086336.tif 000003
【図２】
2014086336.tif 000004
【図３】
2014086336.tif 000005
【図４】
2014086336.tif 000006
【図５】
2014086336.tif 000007
【図６】
2014086336.tif 000008